(57)【要約】【課題】サボニウス型の風力発電装置では、風速が大きくならないと風車が起動せず風車が回らないという課題と、入力となる風速エネルギーに対し、発電出力が小さく発電効率が悪いという課題があるが、風車の受風面積つまり、風車の直径や軸方向長さが決まっている場合には、効果的対策がなく、風車の起動性向上と発電効率向上が要求されている。【解決手段】ブレード１０３の外周側に回転方向トルクを大きくする小片ブレード５を備え、風車の起動力と同風速での発電量を上昇し、発電効率を向上させるサボニウス型風力発電装置を提供するものである。【選択図】図１
2006152937.tif 000002
【特許請求の範囲】
【請求項１】
ブレードの外周側に回転方向トルクを大きくするトルク上昇手段を備えたことを特徴とするサボニウス型風力発電装置。
【請求項２】
ブレードに板状の小片ブレードを風車の軸方向に取り付けたことを特徴とするサボニウス型風力発電装置。
【請求項３】
ブレードの軸方向の両端に板状の小片ブレードを風車の軸方向に取り付けたことを特徴とするサボニウス型風力発電装置。
【請求項４】
ブレードの軸方向の片方の端面に板状の小片ブレードを風車の軸方向に取り付けたことを特徴とするサボニウス型風力発電装置。
【請求項５】
曲面を持ち、かつ軸方向にひねったブレードの軸方向の両端に板状の小片ブレードを風車の軸方向に取り付けたことを特徴とするサボニウス型風力発電装置。
【請求項６】
曲面を持ち、かつ軸方向にひねったブレードの軸方向の片方の端面に板状の小片ブレードを風車の軸方向に取り付けたことを特徴とするサボニウス型風力発電装置。
【請求項７】
ブレードに板状の小片ブレードを、風車の軸方向にブレード外周部の入口角と同じ角度で取り付けたことを特徴とする請求項１〜６いずれか記載のサボニウス型風力発電装置。
【請求項８】
ブレードに板状の小片ブレードを、風車の軸方向に取り付け、かつ風車の軸方向中心側の端面は、ブレードとの間を埋め、軸方向流れを防止したことを特徴とする請求項１〜７いずれか記載のサボニウス型風力発電装置。
【請求項９】
ブレードに板状の小片ブレードを、風車の軸方向に取り付け、かつ風車の軸方向中心側の端面は、湾曲ブレードとの間を板で埋めたことを特徴とする請求項１〜８いずれか記載のサボニウス型風力発電装置。
【請求項１０】
ブレードに板状の補強板を周方向に複数個取り付け、小片ブレードを、風車の軸方向に取り付けたことを特徴とする請求項１〜８いずれか記載のサボニウス型風力発電装置。
【請求項１１】
ブレードに板状の補強板を周方向に複数個取り付け、小片ブレードを、風車の軸方向に、風車の軸方向上端面と最も上側の補強板との間に取り付けたことを特徴とするサボニウス型風力発電装置。
【請求項１２】
ブレードに板状の補強板を周方向に複数個取り付け、小片ブレードを、風車の軸方向に、風車の軸方向上端面と最も上側の補強板との間と、風車の軸方向下端面と最も下側の補強板との間に取り付けたことを特徴とするサボニウス型風力発電装置。
【発明の詳細な説明】
【技術分野】
【０００１】
本発明は、風力発電装置に設置されるサボニウス型風車のブレード形状に関するものである。
【背景技術】
【０００２】
従来、この種のサボニウス型風力発電装置は、使用されているものがあった（例えば特許文献１参照）。
【０００３】
以下、この種の風力発電装置について、図１７、図１８を参照しながら説明する。
【０００４】
図に示すように、風力発電装置１０１の風車１０２は、ブレード１０３はサボニウス型の形状となっている。
【０００５】
上記構成により、風が吹き風車１０２が回転すると、風車１０２に連結された発電機１０４が回転し発電される。このとき、風車１０２のブレード１０３は、略円弧状の２枚またはそれ以上の複数のブレード１０３からなる。
【特許文献１】特開平６−３２３２３７号公報
【発明の開示】
【発明が解決しようとする課題】
【０００６】
このような従来の風車では、風速が大きくならないと起動せず風車が回らないという課題と、発電効率がわるいという課題があり、風車の起動性向上と発電効率向上が要求されている。
【０００７】
本発明は、このような従来の課題を解決するものであり、通常の湾曲ブレードに板状の小片ブレードを風車の軸方向に取り付け、高トルクで高効率化し、同じ風速でも発電量が大きく発電効率の良い風力発電装置を提供することを目的としている。
【課題を解決するための手段】
【０００８】
本発明の風力発電装置は、上記目的を達成するために、ブレードの外周側に回転方向トルクを大きくするトルク上昇手段を備えたことを特徴とするサボニウス型風力発電装置としたものである。
【０００９】
本発明によれば、課題となっている起動性を改善し、かつ発電効率のよい風力発電装置が得られる。
【００１０】
また、他の手段は、ブレードに板状の小片ブレードを風車の軸方向に取り付けたことを特徴とするサボニウス型風力発電装置としたものである。
【００１１】
本発明によれば、課題となっている起動性を改善し、かつ発電効率のよい風力発電装置が得られる。
【００１２】
また、他の手段は、ブレードの軸方向の両端に板状の小片ブレードを風車の軸方向に取り付けたことを特徴とするサボニウス型風力発電装置としたものである。
【００１３】
本発明によれば、課題となっている起動性を改善し、かつ発電効率を良くする風力発電装置が得られる。
【００１４】
また、他の手段は、ブレードの軸方向の片方の端面に板状の小片ブレードを風車の軸方向に取り付けたことを特徴とするサボニウス型風力発電装置としたものである。
【００１５】
本発明によれば、課題となっている起動性を改善し、かつ発電効率を良くするとともにコストアップの小さい風力発電装置が得られる。
【００１６】
また、他の手段は、曲面を持ち、かつ軸方向にひねったブレードの軸方向の両端に板状の小片ブレードを風車の軸方向に取り付けたサボニウス型風力発電装置としたものである。
【００１７】
本発明によれば、課題となっている起動性をより改善し、発電効率を良くする風力発電装置が得られる。
【００１８】
また、他の手段は、曲面を持ち、かつ軸方向にひねったブレードの軸方向の片方の端面に板状の小片ブレードを風車の軸方向に取り付けたサボニウス型風力発電装置としたものである。
【００１９】
本発明によれば、課題となっている起動性をより改善し、かつ、より発電効率を良くする風力発電装置が得られる。
【００２０】
また、他の手段は、ブレードに板状の小片ブレードを、風車の軸方向にブレード外周部の入口角と同じ角度で取り付けたサボニウス型風力発電装置としたものである。
【００２１】
本発明によれば、課題となっている起動性をより改善し、かつ、より発電効率を良くする風力発電装置が得られる。
【００２２】
また、他の手段は、ブレードに板状の小片ブレードを、風車の軸方向に取り付け、かつ風車の軸方向中心側の端面は、ブレードとの間を埋め、軸方向流れを防止したことを特徴とするサボニウス型風力発電装置としたものである。
【００２３】
本発明によれば、課題となっている起動性をより改善し、かつ、より発電効率を良くした風力発電装置が得られる。
【００２４】
また、他の手段は、ブレードに板状の小片ブレードを、風車の軸方向に取り付け、かつ風車の軸方向中心側の端面は、湾曲ブレードとの間を板で埋めたサボニウス型風力発電装置としたものである。
【００２５】
本発明によれば、課題となっている起動性をより改善し、かつ、より発電効率を良くした風力発電装置が得られる。
【００２６】
また、他の手段は、ブレードに板状の補強板を周方向に複数個取り付け、小片ブレードを、風車の軸方向に取り付けたサボニウス型風力発電装置としたものである。
【００２７】
本発明によれば、課題となっている起動性をより改善し、かつ、より発電効率を良くし、かつ強度もすぐれた風力発電装置が得られる。
【００２８】
また、他の手段は、ブレードに板状の補強板を周方向に複数個取り付け、小片ブレードを、風車の軸方向に、風車の軸方向上端面と最も上側の補強板との間に取り付けたサボニウス型風力発電装置としたものである。
【００２９】
本発明によれば、課題となっている起動性をより改善し、かつ、より発電効率を良くし、かつ強度もすぐれた風力発電装置が得られる。
【００３０】
また、他の手段は、ブレードに板状の補強板を周方向に複数個取り付け、小片ブレードを、風車の軸方向に、風車の軸方向上端面と最も上側の補強板との間と、風車の軸方向下端面と最も下側の補強板との間に取り付けたサボニウス型風力発電装置としたものである。
【００３１】
本発明によれば、課題となっている起動性をより改善し、かつ、より発電効率を良くし、かつ強度もすぐれた風力発電装置が得られる。
【発明の効果】
【００３２】
本発明によれば、外部の風速が同じでも風車での風速を増速し、風車の起動力と同風速での発電量を上昇し発電効率を向上させる風力発電装置を提供することができる。
【発明を実施するための最良の形態】
【００３３】
以下に、本発明の実施の形態について、図面を参照しながら説明する。
【００３４】
（実施の形態１）
図１および図２は本発明の実施の形態１における風力発電装置の正面図および風車の断面図である。
【００３５】
図１および図２において、風力発電装置１０１の風車１０２のブレード１０３はサボニウス型であり、上記風車１０２の下部には、発電機１０４が設置され、上記風車１０２と発電機１０４とは軸１で連結されている。また、風車１０２の上下には側板２が取り付けられ軸１を支えている。また上下の側板２は柱３で支えられている。
【００３６】
風が吹き始めると、上記風車１０２は回転しようとするが、軸受４には風車重量による摩擦トルクがかかっているので、ある風速値になり、摩擦トルクよりも大きいトルクを風から受けるまでは回転しない。ところが、本実施例では、風車１０２のブレード１０３に、回転方向トルクを大きくするトルク上昇手段である板状の小片ブレード５が風車の軸方向に取り付いているので、付いていない場合より、ブレード１０３外周部のトルクが増加し、回転を開始する風速値は付いていない場合よりも小さくなる。また、ある一定の風速時に、風車１０２に受けるトルクは大きくなるので同一風速での風車出力は上昇し風車効率は上昇し、発電量も上昇し、発電効率が上がる。但し、小片とは、図２においてブレード１０３のＡＢ間を結ぶ線よりブレード１０３側にある短い長さの板であり、小片ブレード５をブレード１０３のＡＢ間を結ぶ線より外周側に備えている。小片ブレード５の長さは、ブレード１０３のＡＢ間の直線距離の２０％程度である。この長さを超えると、前面から風が吹いてきた時、メインのブレード１０３に回転トルクが加わる前に、小片ブレード５に回転トルクが働き、その後も小片ブレード５より内周側にはトルクが加わりにくく、ブレード１０３の全面を有効に使うことができなくなる。この長さより短いとトルクの向上が小さくなり、発電効率の上昇も小さくなる。
【００３７】
風車効率は、風車効率＝（風車出力；Ｔ×Ｎ）/（ρＡ×Ｖ3）で表される。但し、Ｔはトルク、Ｎは回転数，Ａは受風面積である。また発電量は、発電量＝風車出力×発電機効率となる。また、発電効率は、発電効率＝（発電量）/（ρＡ×Ｖ3）  で表される。
【００３８】
これにより、起動力が上昇し、回転し始める風速は小さくなり、同風速での発電量も大きくすることができる。
【００３９】
（実施の形態２）
図３は本発明の実施の形態２における風車の断面図である。
【００４０】
なお、実施の形態１と同一部分については同一番号を付し、詳細な説明を省略する。
【００４１】
図３において、風力発電装置１０１の風車１０２はサボニウス型であり、上記風車１０２の下部には、発電機１０４が設置され、上記風車１０２と発電機１０４とは軸１で連結されている。
【００４２】
風が吹き始めると、上記風車１０２は回転しようとするが、軸受４には風車重量による摩擦トルクがかかっているので、ある風速値になり、摩擦トルクよりも大きいトルクを風から受けるまでは回転しない。特に、風車１０２の軸方向の両端は、風が通りにくいので、トルクが小さい。ところが、本実施例では、風車１０２のブレード１０３の軸方向の両端に板状の小片ブレイー５を風車の軸方向に取り付けているので、風車１０２の外周部のトルクが増加し、回転を開始する風速値は付いていない場合よりも小さくなる。また、ある一定の風速時に、風車１０２に受けるトルクは大きくなるので同一風速での風車出力は上昇し風車効率は上昇し、発電量も上昇し、発電効率が上がる。これにより、起動力が上昇し、回転し始める風速は小さくなり、同風速での発電量も大きくすることができる。
【００４３】
（実施の形態３）
図４は本発明の実施の形態３における風車の断面図である。
【００４４】
なお、実施の形態１あるいは２のいずれかと同一部分については同一番号を付し、詳細な説明を省略する。
【００４５】
図４において、風力発電装置１０１の風車１０２はサボニウス型であり、上記風車１０２の下部には、発電機１０４が設置され、上記風車１０２と発電機１０４とは軸１で連結されている。
【００４６】
風が吹き始めると、上記風車１０２は回転しようとするが、軸受４には風車重量による摩擦トルクがかかっているので、ある風速値になり、摩擦トルクよりも大きいトルクを風から受けるまでは回転しない。特に、風車１０２の軸方向の両端は、風が通りにくいので、トルクが小さい。また、風車１０２は、通常縦型に設置され、地面からの高さの大きい上部の方が風速が大きい。ところが、本実施例では、風車１０２のブレード１０３の軸方向の上部の片方の端面に板状の小片ブレード５を風車の軸方向に取り付け、高トルク高効率化しているため、回転を開始する風速値は付いていない場合よりも小さくなる。また、ある一定の風速時に、風車１０２に受けるトルクは大きくなるので同一風速での風車出力は上昇するので風車効率は上昇し、発電量も上昇し、発電効率が上がる。通常、風車１０２に受ける風速は、地面より高い位置にある上部の方が大きいので、風車１０２の上部の片方に取り付けられることが有効である。
【００４７】
これにより、起動力が上昇し、回転し始める風速は小さくなり、同風速での発電量も大きくすることができる。
【００４８】
（実施の形態４）
図５、図６は本発明の実施の形態４における風力発電装置の正面図と、風車の断面図である。なお、実施の形態１乃至３のいずれかと同一部分については同一番号を付し、詳細な説明を省略する。
【００４９】
図５において、風力発電装置１０１の風車１０２はサボニウス型であり、上記風車１０２の下部には、発電機１０４が設置され、上記風車１０２と発電機１０４とは軸１で連結されている。
【００５０】
風が吹き始めると、上記風車１０２は回転しようとするが、軸受４には風車重量による摩擦トルクがかかっているので、ある風速値になり、摩擦トルクよりも大きいトルクを風から受けるまでは回転しない。ところが、本実施例では、軸方向に９０度程度ひねったブレード１０３の軸方向の両端に板状の小片ブレード５を風車の軸方向に取り付け、高トルク高効率化している。
【００５１】
通常、風車の両端では、風が集まりにくく特にトルクが小さくなるが、上記小片ブレード５が付いているので、回転を開始する風速値は付いていない場合よりも小さくなる。また、ある一定の風速時に、風車１０２に受けるトルクは大きくなるので同一風速での風車出力は上昇するので風車効率は上昇し、発電量も上昇し、発電効率が上がる。
【００５２】
これにより、起動力が上昇し、回転し始める風速は小さくなり、同風速での発電量も大きくすることができる。
【００５３】
（実施の形態５）
図７および図８は本発明の実施の形態５における風力発電機の正面図と風車の断面図である。
【００５４】
なお、実施の形態１乃至４のいずれかと同一部分については同一番号を付し、詳細な説明を省略する。
【００５５】
図７および図８において、風力発電装置１０１の風車１０２はサボニウス型であり、上記風車１０２の下部には、発電機１０４が設置され、上記風車１０２と発電機１０４とは軸１で連結されている。
【００５６】
風が吹き始めると、上記風車１０２は回転しようとするが、軸受４には風車重量による摩擦トルクがかかっているので、ある風速値になり、摩擦トルクよりも大きいトルクを風から受けるまでは回転しない。ところが、本実施例では、軸方向にひねったブレード１０３の軸方向の片方の端面に板状の小片ブレード５を風車の軸方向に取り付けているので、回転トルクは上昇し、回転を開始する風速値は付いていない場合よりも小さくなる。また、ある一定の風速時に、風車１０２に受けるトルクは大きくなるので同一風速での風車出力は上昇するので風車効率は上昇し、発電量も上昇し、発電効率が上がる。通常、ブレード１０３がひねられている場合は、回転方向に進んで回転する片方側で、特にトルクが小さくなるが、上記小片ブレード５をトルクの弱い方につけると、より効果を発揮する。
【００５７】
これにより、起動力が上昇し、回転し始める風速はより小さくなり、同風速での発電量もより大きくすることができる。
【００５８】
（実施の形態６）
図９および図１０は本発明の実施の形態６における風車の断面図である。
【００５９】
なお、実施の形態１乃至５のいずれかと同一部分については同一番号を付し、詳細な説明を省略する。
【００６０】
図９および図１０において、風力発電装置１０１の風車１０２はサボニウス型であり、上記風車１０２の下部には、発電機１０４が設置され、上記風車１０２と発電機１０４とは軸１で連結されている。
【００６１】
風が吹き始めると、上記風車１０２は回転しようとするが、軸受４には風車重量による摩擦トルクがかかっているので、ある風速値になり、摩擦トルクよりも大きいトルクを風から受けるまでは回転しない。ところが、本実施例では、板状の小片ブレード５の入口角を、風車の軸方向に、ブレード１０３外周部の入口角θと同じ角度θで取り付けている。この小片ブレードで、外周部のトルクを大きくするだけでなく、中央部に入ってきた風も、外周部と同様にスムーズに内部に入ってくることができる。つまり、小片ブレード５は外周側トルクを大きくし、かつ内周側へのトルク発生を邪魔しないようにできる。この結果、回転を開始する風速値は付いていない場合よりも小さくなる。また、ある一定の風速時に、風車１０２に受けるトルクは大きくなるので同一風速での風車出力は上昇するので風車効率は上昇し、発電量も上昇し、発電効率が上がる。
【００６２】
これにより、起動力がより上昇し、回転し始める風速はより小さくなり、同風速での発電量もより大きくすることができる。
【００６３】
（実施の形態７）
図１１および図１２は本発明の実施の形態７における風車の断面図である。
【００６４】
なお、実施の形態１乃至６のいずれかと同一部分については同一番号を付し、詳細な説明を省略する。
【００６５】
図１１および図１２において、風力発電装置１０１の風車１０２はサボニウス型であり、上記風車１０２の下部には、発電機１０４が設置され、上記風車１０２と発電機１０４とは軸１で連結されている。
【００６６】
風が吹き始めると、上記風車１０２は回転しようとするが、軸受４には風車重量による摩擦トルクがかかっているので、ある風速値になり、摩擦トルクよりも大きいトルクを風から受けるまでは回転しない。ところが、本実施例では、ブレード１０３に板状の小片ブレード５を、風車の軸方向に取り付け、かつ風車の軸方向中心側の端面は、湾曲ブレードとの間を板６で埋めている。そのため、小片ブレイド５に集まった風が軸方向に流れて逃げることがなく、より大きいトルクが発生する。そのため、回転を開始する風速値は板６が付いていない場合よりも小さくなる。また、ある一定の風速時に、風車１０２に受けるトルクは大きくなるので同一風速での風車出力は上昇するので風車効率は上昇し、発電量も上昇し、発電効率が上がる。
【００６７】
これにより、起動力が上昇し、回転し始める風速はより小さくなり、同風速での発電量もより大きくすることができる。
【００６８】
（実施の形態８）
図１３および図１４は本発明の実施の形態８における風車の断面図である。
【００６９】
なお、実施の形態１乃至７のいずれかと同一部分については同一番号を付し、詳細な説明を省略する。
【００７０】
図１３および１４において、風力発電装置１０１の風車１０２はサボニウス型であり、上記風車１０２の下部には、発電機１０４が設置され、上記風車１０２と発電機１０４とは軸１で連結されている。
【００７１】
風が吹き始めると、上記風車１０２は回転しようとするが、軸受４には風車重量による摩擦トルクがかかっているので、ある風速値になり、摩擦トルクよりも大きいトルクを風から受けるまでは回転しない。ところが、本実施例では、ブレード１０３に板状の補強版７を周方向に複数個取り付け、小片ブレード５を、風車１０２の軸方向に取り付けており、このため、小片ブレード５の効果のみでなく、補強版７が、受風した風が小片ブレードの両側に漏れるのを防止し、回転トルクが上昇する。この結果、回転を開始する風速値は小片ブレイド５や補強版７が付いていない場合よりも小さくなる。また、ある一定の風速時に、風車１０２に受けるトルクは大きくなるので同一風速での風車出力は上昇するので風車効率は上昇し、発電量も上昇し、発電効率が上がる。また、補強版７による強度アップ効果もある。
【００７２】
これにより、起動力が上昇し、回転し始める風速はより小さくなり、同風速での発電量もより大きくすることができ、強度もアップする。
【００７３】
（実施の形態９）
図１５は本発明の実施の形態９における風車の断面図である。
【００７４】
なお、実施の形態１乃至８のいずれかと同一部分については同一番号を付し、詳細な説明を省略する。
【００７５】
図１５において、風力発電装置１０１の風車１０２はサボニウス型であり、上記風車１０２の下部には、発電機１０４が設置され、上記風車１０２と発電機１０４とは軸１で連結されている。
【００７６】
風が吹き始めると、上記風車１０２は回転しようとするが、軸受４には風車重量による摩擦トルクがかかっているので、ある風速値になり、摩擦トルクよりも大きいトルクを風から受けるまでは回転しない。ところが、本実施例では、ブレード１０３に板状の補強版７を周方向に複数個取り付け、小片ブレード５を、風車１０２の軸方向に、風車１０２の軸方向上端面と最も上側の補強板７との間に取り付けているので、小片ブレード５の効果のみでなく、補強版７が、受風した風が小片ブレード５の両側に漏れるのを防止し、回転トルクが上昇する。また、風速の大きい風車１０２の上部のみについているので、より効果が大きい。また風車１０２の全部または両端についているときより、安価となる。
【００７７】
これにより、通常風速の大きい片側のみ、風車トルクを増加させることができる。従って、全部設置や両端設置より安価で、起動力が上昇し、回転し始める風速はより小さくなり、同風速での発電量もより大きくすることができる。
【００７８】
（実施の形態１０）
図１６は本発明の実施の形態１０における風車の断面図である。
【００７９】
なお、実施の形態１乃至９のいずれかと同一部分については同一番号を付し、詳細な説明を省略する。
【００８０】
図１６において、風力発電装置１０１の風車１０２はサボニウス型であり、上記風車１０２の下部には、発電機１０４が設置され、上記風車１０２と発電機１０４とは軸１で連結されている。
【００８１】
風が吹き始めると、上記風車１０２は回転しようとするが、軸受４には風車重量による摩擦トルクがかかっているので、ある風速値になり、摩擦トルクよりも大きいトルクを風から受けるまでは回転しない。ところが、本実施例では、風車１０２のブレード１０３に板状の補強版７を周方向に複数個取り付け、小片ブレード５を、風車の軸方向に、風車の軸方向上端面と最も上側の補強板との間と、風車の軸方向下端面と最も下側の補強板との間に取り付けられている。このため、小片ブレード５の効果のみでなく、補強版７が、受風した風が小片ブレード５の両側に漏れるのを防止し、回転トルクが上昇する。また、風速の大きい風車１０２の上部と、風速の流れにくい風車１０２の下部のみについているので、より効果が大きい。また風車１０２の全部についているときより、安価となる。
【００８２】
これにより、通常風速の大きい上部と、風が少ない下部のみを、風車トルクを増加し、前部設置より安価で、起動力が上昇し、回転し始める風速はより小さくなり、同風速での発電量もより大きくすることができる。
【産業上の利用可能性】
【００８３】
本発明の風車は、外部の風速が同じでも風車での風速を増速し、風車の起動力と発電効率を向上できる風力発電装置を提供することができる。
【図面の簡単な説明】
【００８４】
【図１】本発明の実施の形態１の風力発電装置の正面図
【図２】同風車のブレード上面図
【図３】同実施の形態２の風力発電装置の正面図
【図４】同実施の形態３の風力発電装置の正面図
【図５】同実施の形態４の風力発電装置の正面図
【図６】同実施の形態４の風車の断面図
【図７】同実施の形態５の風力発電装置の正面図
【図８】同実施の形態５の風車の断面図
【図９】同実施の形態６の風力発電装置の正面図
【図１０】同実施の形態６の風車の断面図
【図１１】同実施の形態７の風力発電装置の正面図
【図１２】同実施の形態７の風車の断面図
【図１３】同実施の形態８の風力発電装置の正面図
【図１４】同実施の形態８の風車の断面図
【図１５】同実施の形態９の風力発電装置の正面図
【図１６】同実施の形態１０の風力発電装置の正面図
【図１７】従来の風力発電装置の正面図
【図１８】従来の風車の断面図
【符号の説明】
【００８５】
１  軸
２  側板
３  柱
４  軸受
５  小片ブレード
６  板
７  補強板
１０１  風力発電装置
１０２  風車
１０３  ブレード
１０４  発電機
【図１】
2006152937.tif 000003
【図２】
2006152937.tif 000004
【図３】
2006152937.tif 000005
【図４】
2006152937.tif 000006
【図５】
2006152937.tif 000007
【図６】
2006152937.tif 000008
【図７】
2006152937.tif 000009
【図８】
2006152937.tif 000010
【図９】
2006152937.tif 000011
【図１０】
2006152937.tif 000012
【図１１】
2006152937.tif 000013
【図１２】
2006152937.tif 000014
【図１３】
2006152937.tif 000015
【図１４】
2006152937.tif 000016
【図１５】
2006152937.tif 000017
【図１６】
2006152937.tif 000018
【図１７】
2006152937.tif 000019
【図１８】
2006152937.tif 000020